(57)【要約】    【課題】控除等により廃券処理がなされた券類は、廃券処理の種類、内容等により係員により仕分されるが、廃券印刷の向きや廃券穿孔の位置が異なっていると、係員の作業効率が低下する。    【解決手段】上位装置からの挿入指示により（ステップ７０）、控除等で挿入された乗車券の磁気情報を読込み（ステップ７２）、この読込結果を元に乗車券の前後左右の向きを判定し（ステップ７３）、基準の向きに挿入されている場合はそのまま廃券印刷を行い（ステップ７９）、前後左右が逆に挿入されている場合は、印刷データを反転し（ステップ７８）、廃券印刷を行う（ステップ７９）。これにより、乗車券がどちら向きに挿入されても、乗車券を発行した時の印刷の向きに対して廃券印刷の向きを合わせることが可能となる。【選択図】図１
2005149442.tif 000002
【特許請求の範囲】
【請求項１】
券類を挿入する挿入部と、券類の磁気情報を読込む磁気読込部と、券類に印刷を行う印刷部と、券類を排出する排出部もしくは回収する回収部と、前記各部位を制御する制御部とを有し、前記制御部は前記磁気読込部にて読込んだ磁気情報から券類の挿入方向を判断し、前記印刷部にて印刷するデータの向きを挿入された券類に予め印刷されているデータの向きに合わせることを特徴とする券類処理装置。
【請求項２】
券類を挿入する挿入部と、券類の磁気情報を読込む磁気読込部と、券類に穿孔を行うパンチ部と、券類を排出する排出部もしくは回収する回収部と、前記各部位を制御する制御部とを有し、前記制御部は前記磁気読込部にて読込んだ磁気情報から券類の挿入方向を判断し、前記パンチ部にて穿孔する位置を挿入された券類に予め印刷されているデータの向きに合わせることを特徴とする券類処理装置。
【請求項３】
券類を挿入する挿入部と、券類の磁気情報を読込む磁気読込部と、券類に印刷を行う印刷部と、券類に穿孔を行うパンチ部と、券類を排出する排出部もしくは回収する回収部と、前記各部位を制御する制御部とを有し、前記制御部は前記磁気読込部にて読込んだ磁気情報から券類の挿入方向を判断し、前記印刷部にて印刷するデータの向きと前記パンチ部にて穿孔する位置を挿入された券類に予め印刷されているデータの向きに合わせることを特徴とする券類処理装置。
【発明の詳細な説明】
【技術分野】
【０００１】
本発明は乗車券などの券類処理装置に係り、特に券類処理装置の廃券処理に関する。
【背景技術】
【０００２】
駅の窓口等に設置される乗車券等処理装置の一つとして、控除等の廃券処理が可能な発券装置では、係員が上位装置にて発行済みの乗車券等の控除等を行う様に入力すると、上位装置の指示により発券装置は乗車券等を挿入可の状態となる。係員が乗車券等を発券装置の挿入口に挿入すると、乗車券等が装置内の磁気処理部まで取込まれ、磁気処理部にて磁気情報の読込みを行い、制御部にて磁気情報の解析を行い、解析した情報は上位装置に送信する。
【０００３】
上位装置もしくは係員の判断により控除等の実行を決定すると、上位装置は控除等の指示を発券装置に送信する。発券装置は控除等の指示を受信すると、指示内容により磁気処理部にて磁気情報の消込みもしくは書換えを行い、印刷指示が有れば印刷部にて印刷を行い、同様に穿孔処理の指示が有ればパンチ部にて磁気情報を破壊できる磁気トラック上に穿孔処理を実施し、排出口に排出、もしくは回収箱に回収する。
【０００４】
この様な乗車券等処理装置では、乗車券等を人手により装置に挿入する場合、表裏関係なく挿入できる装置もあるが、大半の装置は券の表を上側にして挿入する仕様となっている。しかし、券の前後左右に関しては挿入方向を指定している装置はほとんどなく、図１１に示すように基準向きの挿入券９０、前後左右が逆向きの挿入券９１のどちらでも処理できる仕様となっている。
【０００５】
これに関し、乗車券等処理装置は読込んだ磁気情報から、挿入された券の前後左右方向の判定をし、前後左右が逆の場合は磁気情報の反転処理等をして情報を正常に処理できるようにしている。しかし、廃券印刷や穿孔位置は挿入された券の前後左右方向に合わせて行われるものではなく、図１２に示すように、挿入された券の前後左右方向に関係なく一定の方向に処理する。つまり、９２で示すように印刷の向きが合っており、裏面の磁気情報に対して磁気トラックＴ９上に穿孔処理されたものと、９３に示すように印刷の向きが反対になり、磁気トラックＴ２上に穿孔処理されたものの２種類が発生する。これは廃券印刷や穿孔処理は控除等がなされた券の不正使用防止が目的のために、券面に廃券処理が実施されたことが分かる印刷を行い、穿孔処理により磁気情報を破壊しているのであり、前後左右の方向が重要ではないためである。
【０００６】
特許文献１には、くじ券等の券類の廃券処理に関し、くじ券の一部にそれぞれ位置を異ならせて、当たり券の場合は「払戻済み」穿孔、はずれ券の場合は「はずれ」穿孔、取消券の場合は「取消」穿孔をあける手段が開示されている。
【０００７】
【特許文献１】特開２０００−３３９５００号公報（第４頁、図２）
【発明の開示】
【発明が解決しようとする課題】
【０００８】
控除等により廃券処理がなされた券類は、廃券処理の種類、内容等により係員により仕分けされるが、廃券印刷の向きや廃券穿孔の位置が異なっていると、係員の作業効率が低下する。また、穿孔処理により印刷が欠けて判読が難しくなることも考えられる。このとき、券類を購入したときの印刷と、廃券処理をしたときの印刷と、穿孔する磁気トラックが一定である事が望ましい。
【０００９】
本発明の目的は、廃券処理された券類の仕分け等の事後処理をし易くする券類処理装置を提供することである。
【課題を解決するための手段】
【００１０】
上記目的を達成するために、本発明の券類処理装置は、券類を挿入する挿入部と、券類の磁気情報を読込む磁気読込部と、券類に印刷を行う印刷部と、券類を排出する排出部もしくは回収する回収部と、前記各部位を制御する制御部とを有し、前記制御部は前記磁気読込部にて読込んだ磁気情報から券類の挿入方向を判断し、前記印刷部にて印刷するデータの向きを挿入された券類に予め印刷されているデータの向きに合わせる。
【００１１】
上記目的を達成するために、本発明の券類処理装置は、券類を挿入する挿入部と、券類の磁気情報を読込む磁気読込部と、券類に穿孔を行うパンチ部と、券類を排出する排出部もしくは回収する回収部と、前記各部位を制御する制御部とを有し、前記制御部は前記磁気読込部にて読込んだ磁気情報から券類の挿入方向を判断し、前記パンチ部にて穿孔する位置を挿入された券類に予め印刷されているデータの向きに合わせる。
【００１２】
上記目的を達成するために、本発明の券類処理装置は、券類を挿入する挿入部と、券類の磁気情報を読込む磁気読込部と、券類に印刷を行う印刷部と、券類に穿孔を行うパンチ部と、券類を排出する排出部もしくは回収する回収部と、前記各部位を制御する制御部とを有し、前記制御部は前記磁気読込部にて読込んだ磁気情報から券類の挿入方向を判断し、前記印刷部にて印刷するデータの向きと前記パンチ部にて穿孔する位置を挿入された券類に予め印刷されているデータの向きに合わせる。
【発明の効果】
【００１３】
本発明によれば、券類処理装置で廃券処理された券類の、係員による仕分け作業等の効率を向上することが可能となる。
【発明を実施するための最良の形態】
【００１４】
本発明の券類処理装置を搭載する、駅の窓口等に設置し、乗車券等の控除等の廃券処理が可能な発券装置の廃券処理と基本構成について図面を参照して説明する。本発明の券類処理装置を搭載する発券装置は、図２に示すように、前後左右を逆向きにして挿入した乗車券９１の場合、そのまま逆向きになって排出されるが、乗車券を発行したときの印刷の向きに対して廃券印刷の向きが合っており、穿孔するラインもトラックＴ９となり、基準向きに挿入した乗車券９０を処理した券９２と逆向きに挿入した乗車券９１を処理した券９４は、結果として同じ状態となり、基準向きもしくは逆向きのどちら向きに挿入しても、廃券印刷の向きと穿孔処理のラインを合わせることを可能にする。
【００１５】
図３に本発明の券類処理装置を搭載する発券装置の基本構成と、上位装置との接続関係を示す。駅の窓口等に設置され係員により操作され乗車券等を発行する発券装置１は、媒体の収納を行う第１ホッパカセット１１と第２ホッパカセット１２と媒体の繰出しを行う繰出搬送部１３からなるホッパ部１０、媒体に磁気情報を書込む磁気書込みヘッド２１と媒体から磁気情報を読込む磁気読込みヘッド２２とを備えた磁気処理部２０、感熱媒体に印刷を行うサーマルヘッド３１を備えた印刷部３０、媒体の基準位置に穿孔を行う第１パンチ機構４１と基準とは反対の位置に穿孔を行う第２パンチ機構４２を備えたパンチ部４０、媒体の挿入口５１と媒体の排出口５２からなる挿入排出部５０、これらを制御し上位システムと通信を行う制御部６０で構成されている。
【００１６】
基本的な動作である発券処理として、係員が上位装置２にて目的地や利用列車などの指定を行うことにより、上位装置２が発券装置１に発券指示を送信する。発券装置１は上位装置２から発券指示を受信すると、ホッパ部１０より媒体を繰出し、磁気処理部２０により磁気情報を書込み、印刷部３０により印刷を行い、排出口５２に排出する。
【００１７】
また、控除等の廃券処理として、係員が上位装置２にて、発行済みの乗車券等の控除等を行う様に入力すると、上位装置２の指示により発券装置１は乗車券等挿入可の状態となる。係員が乗車券等を発券装置１の挿入口５１に挿入すると、乗車券等が装置内の磁気処理部２０まで取込まれ、磁気処理部２０にて磁気情報の読込みを行い、制御部６０にて磁気情報の解析を行い、解析した情報は上位装置２に送信する。上位装置２もしくは係員の判断により控除等の実行を決定すると、上位装置２は控除等の指示を発券装置１に送信する。発券装置１は控除等の指示を受信すると、指示内容により磁気処理部２０にて磁気情報の消込みもしくは書換えを行い、印刷指示が有れば印刷部３０にて印刷を行い、同様に穿孔処理の指示が有ればパンチ部４０にて磁気情報を破壊できる磁気トラック上に穿孔処理を実施し、排出口５２に排出する。
【００１８】
以上に、本発明の券類処理装置を搭載する発券装置の基本的な構成および動作を説明したが、次に図１、図２、図３および図４を参照して本発明の第１の実施例による券類処理装置の廃券処理を詳細に説明する。図１において、上位装置２より乗車券の挿入指示を受信すると（ステップ７０）、係員の手により挿入口５１より乗車券等を挿入する（ステップ７１）。挿入された乗車券は磁気処理部２０まで搬送し磁気情報の読込みを行う（ステップ７２）。読込まれた情報は制御部６０にて解析される（ステップ７３）。ここでは、図４に示すように磁気情報の内容により挿入された乗車券が基準の方向で挿入された券９０か、前後左右が逆向きに挿入された券９１かが判断される。
【００１９】
解析した磁気情報は上位装置２に送信し（ステップ７４）、上位装置２もしくは係員の判断により、控除等の廃券処理を続行するか、もしくは挿入された乗車券をそのまま排出口５２に返却するか決定され、発券装置１に送信される（ステップ７５）。そのまま排出する決定の場合は、挿入された乗車券には何も処理を施さず排出口５２に返却し（ステップ７６）、廃券処理を続行する場合は磁気処理部２０にて磁気情報の消込みを行い（ステップ７７）、印刷部３０に搬送する。
【００２０】
印刷部３０では、図４に示すように挿入された乗車券が基準の方向で挿入された券９０の場合は、上位装置２より送信されたデータ９５をそのまま印刷する（ステップ７９）。前後左右が逆向きに挿入された券９１の場合は、印刷データ９５の前後左右を反転（１８０度回転）し（ステップ７８）、反転したデータ９６を用い印刷する（ステップ７９）。その後、排出口５２に排出し（ステップ８０）処理を完了する。このとき排出された乗車券は基準向きに挿入した券は９７の状態で、逆向きに挿入した券は９８の状態となっているが、印刷の内容は両者とも全く同一となっている。
【００２１】
上記実施例では、挿入された乗車券の磁気情報を元に、乗車券の前後左右の向きを判断し、発行時の印刷向き、印刷位置に合わせて、上書きする印刷向き、印刷位置を変更するものであるが、上述した控除等の廃券処理の他、図５に示すように目的地の変更等の書換処理９９にも応用が可能である。この場合は磁気情報を消込むのではなく、印刷と同様に乗車券の挿入向きに合わせて指定の磁気トラックを書替えることとなる。また、回数券等の乗車券において、指定席券を発行済みの旨を印刷する場合１００にも応用が可能である。この場合も磁気情報は消込むのではなく、印刷と同様に券の挿入向きに合わせて指定の磁気トラックを書替えることとなる。
【００２２】
次に、図２、図６、図７、図８、図９を参照して、本発明の第２の実施例による券類処理装置の廃券処理を説明する。図６において、上位装置２の指示（ステップ７０）により乗車券を挿入してから磁気情報を読込み、上位装置等により判断した後、磁気情報の消込みを行う（ステップ７７）までは上記第１の実施例と同じである。
【００２３】
磁気情報の消込みを行った後は、上位装置２より印刷指示がある場合（ステップ８１）は印刷を実行する（ステップ７９）。その後パンチ部４０では、挿入された券が基準の方向で挿入されていた場合は第１パンチ機構４１により穿孔する（ステップ８２）。このとき、券の先端からの距離を測定して穿孔位置を決定し穿孔する。前後左右が逆向きに挿入されていた場合は、図７に示すように基準の方向に挿入された場合に穿孔するライン４５とは対称のライン４６に穿孔するパンチピン４４を備えた第２パンチ機構４２により穿孔する（ステップ８３）。このときは、券の後端からの距離を測定し穿孔する。パンチピン４３、４４はソレノイド４７により駆動される。その後、排出口５２に排出し（ステップ８０）処理を完了する。これにより、乗車券の挿入向きに関わらず指定の磁気トラックに、つまり乗車券の発行時の印刷向きに対して一定のライン上に、且つ券端からの位置を合わせた穿孔が可能となる。
【００２４】
挿入された乗車券の前後左右の向きが基準とは逆の場合に穿孔する際、券の後端から距離を測定し位置決めする代わりに、券の長さから穿孔する距離を差し引き、その距離を以って先端からの位置を測定して穿孔する場合も同様の結果が得られることとなる。
【００２５】
また、第２パンチ機構４２の代わりに、図８に示すように１つのパンチ機構を可動式にして２つのラインで穿孔することでも実施可能である。または、パンチ機構により穿孔するラインを変えるのではなく、図９に示すように乗車券を横にスライドさせることにより穿孔するラインを変えて実現することも可能である。
【００２６】
次に、図１０を参照して、本発明の第３の実施例による券類処理装類置の廃券処理を説明する。第３の実施例は上記第１の実施例の廃券印刷と第２の実施例の廃券穿孔を同時に行うものである。図１０に示すように、上位装置２の指示（ステップ７０）により乗車券を挿入してから磁気情報を読込み、上位装置等により判断した後、磁気情報の消込みを行う（ステップ７７）までは上記第１の実施例と同じである。磁気情報の消込みを行った後は、挿入された券が基準の方向で挿入されていた場合は上位装置２より受信した印刷データをそのまま印刷し（ステップ７９）、第１パンチ機構４１により穿孔する（ステップ８２）。前後左右が逆向きに挿入されていた場合は、上位装置２より受信した印刷データの前後左右を反転し（ステップ７８）、廃券印刷し（ステップ７９）、第２パンチ機構４２により穿孔する（ステップ８３）。その後、排出口５２に排出し（ステップ８０）処理を完了する。これにより、挿入された券の前後左右の向きに関わらず、乗車券を発行した時の印刷の向きに対して、廃券印刷の向きと廃券穿孔するラインとを合わせることが可能となる。
【００２７】
以上の説明のとおり本発明の各実施例によれば、駅の窓口等に設置する乗車券等処理装置において、控除等で挿入された乗車券等の向きが前後左右どちら向きで挿入されても、乗車券等を発行した時の印刷の向きに対して廃券印刷の向きや廃券穿孔するラインを合わせることができるので、係員等による廃券処理された乗車券等の仕分け作業等の効率を向上することが可能となる。
【００２８】
なお、上記実施例では券類を上側にして挿入する例ついて説明したが、この場合は、券類を表裏反転して挿入した場合は、券類を排出口に返却し、再度挿入するようにする。また、券類処理装置に券類の表裏反転機構を設けることにより、挿入された券類の表裏関係なく処理することもできる。
【図面の簡単な説明】
【００２９】
【図１】本発明の第１の実施例による券類処理装置の廃券処理を示すフローチャートである。
【図２】本発明の第３の実施例による券類処理装置の廃券処理の概念図である。
【図３】本発明の券類処理装置を搭載する発券装置の概略構成図である。
【図４】本発明の第１の実施例による券類処理装置の廃券処理の概念図である。
【図５】本発明の第１の実施例による券類処理装置の廃券処理の応用例を示す概念図である。
【図６】本発明の第２の実施例による券類処理装置の廃券処理を示すフローチャートである。
【図７】本発明の第２の実施例による券類処理装置の廃券処理を実現するパンチ機構の構成図である。
【図８】本発明の第２の実施例による券類処理装置の廃券処理を実現するパンチ機構の変形例を示す構成図である。
【図９】本発明の第２の実施例による券類処理装置の廃券処理を実現するパンチ機構の他の変形例を示す構成図である。
【図１０】本発明の第３の実施例による券類処理装置の廃券処理を示すフローチャートである。
【図１１】乗車券処理装置に乗車券を挿入する向きを説明するための概念図である。
【図１２】従来の乗車券処理装置の廃券処理を示す概念図である。
【符号の説明】
【００３０】
１…発券装置、２…上位装置、３…通信ケーブル、１０…ホッパ部、
１１…第１ホッパカセット、１２…第２ホッパカセット、１３…繰出搬送部、
２０…磁気処理部、２１…磁気書込みヘッド、２２…磁気読込みヘッド、
３０…印刷部、３１…サーマルヘッド、４０…パンチ部、４１…第１パンチ機構、
４２…第２パンチ機構、４３…第１パンチ機構パンチピン、
４４…第２パンチ機構パンチピン、４５…第１パンチ機構穿孔ライン、
４６…第２パンチ機構穿孔ライン、４７…パンチソレノイド、５０…挿入排出部、
５１…挿入口、５２…排出口、６０…制御部、
９０…基準向きの挿入券、９１…前後左右逆向きの挿入券、
９２…印刷向きと穿孔位置が合っている券、
９４…逆向きの挿入券で印刷向きと穿孔位置が合っている券、
９５…印刷データ、９６…反転した印刷データ。
【図１】
2005149442.tif 000003
【図２】
2005149442.tif 000004
【図３】
2005149442.tif 000005
【図４】
2005149442.tif 000006
【図５】
2005149442.tif 000007
【図６】
2005149442.tif 000008
【図７】
2005149442.tif 000009
【図８】
2005149442.tif 000010
【図９】
2005149442.tif 000011
【図１０】
2005149442.tif 000012
【図１１】
2005149442.tif 000013
【図１２】
2005149442.tif 000014